(57)【要約】【課題】左右の金属製大引間に床断熱材を、大引上に大引断熱材を、それぞれ適正に保持することができ、しかも、それらの保持状態を、手間を要さず、コスト的に有利に形成することができる床断熱構造等を提供する。【解決手段】左右の大引断熱材おさえ部６，６と、床断熱材支持部７と、左右の立ち上がり連接部８，８とを備えた「ひ」の字形の断熱材保持金物５によって、大引断熱材３と床断熱材２とを保持する。その場合に、同金物５は、左右の立ち上がり連接部８が大引断熱材３の内側側面部に沿わされて大引断熱材３を位置決めする第１位置決め部を兼ね、大引断熱材おさえ部６の外端部には、大引断熱材３の外側側面部に沿わせる第２位置決め部９が備えられているとよい。【選択図】      図１
2007285068.tif 000002
【特許請求の範囲】
【請求項１】
左右の大引間に床断熱材が配置されると共に、前記大引の上に床板が根太レスで設置された床断熱構造において、
前記各大引が金属製大引からなり、各大引と床板との間に大引断熱材が介設され、
各大引断熱材と床断熱材とは、各大引断熱材を上面側から抑える左右の大引断熱材おさえ部と、床断熱材を下面側から支持する床断熱材支持部と、該床断熱材支持部を左右の大引断熱材おさえ部に連接する左右の立ち上がり連接部とを備えた「ひ」の字形の断熱材保持金物によって保持されていることを特徴とする床断熱構造。
【請求項２】
前記断熱材保持金物の左右の立ち上がり連接部が大引断熱材の内側側面部に沿わされて大引断熱材を位置決めする第１位置決め部を兼ねていると共に、該断熱材保持金物の大引断熱材おさえ部の外端部に、大引断熱材の外側側面部に沿わせる第２位置決め部が備えられている請求項１に記載の床断熱構造。
【請求項３】
左右の大引断熱材を上面側から抑える左右の大引断熱材おさえ部と、床断熱材を下面側から支持する床断熱材支持部と、該床断熱材支持部を左右の大引断熱材おさえ部に連接する左右の立ち上がり連接部とを備えた「ひ」の字形をしており、かつ、
左右の立ち上がり連接部が大引断熱材の内側側面部に沿わされて大引断熱材を位置決めする第１位置決め部を兼ねていると共に、左右の大引断熱材おさえ部の外端部に、大引断熱材の外側側面部に沿わせる第２位置決め部が備えられていることを特徴とする断熱材保持金物。
【発明の詳細な説明】
【技術分野】
【０００１】
本発明は、床断熱構造及び断熱材保持金物に関する。
【背景技術】
【０００２】
左右の大引間に床断熱材が配置されると共に、大引の上に床板が根太レスで設置された床断熱構造は、従来より知られている。
【０００３】
また、左右の大引間に床断熱材を保持するため、左右の大引の上面側に掛けられる左右の大引掛け部と、床断熱材を下面側から支持する床断熱材支持部と、該床断熱材支持部を左右の大引断熱材おさえ部に連接する左右の立ち上がり連接部とを備え、「ひ」の字形形状をして床断熱材を保持する床断熱材保持金物も、従来より知られている。
【特許文献１】特開２００３−３２１９２９号公報
【発明の開示】
【発明が解決しようとする課題】
【０００４】
しかしながら、上記のような根太レスの床断熱構造では、大引が鋼製大引等の金属製大引である場合、大引が熱橋となって、床に求められる断熱性能が確保されないという問題を生じる。
【０００５】
そこで、大引による熱橋を軽減する、ないしは、なくすため、大引と床板との間に大引断熱材を介設することが考えられる。
【０００６】
しかし、床の施工は、左右の大引間に床断熱材を保持させたのちに、床板を大引の上に設置するという手順で進められるため、大引と床板との間に大引断熱材を介設する場合は、床板を設置する前の段階で、床断熱材を左右の大引間に適正に保持させなければならず、また、大引断熱材も大引の上に適正に保持させなければならず、そのため、上記のような従来の床断熱材保持金物では、大引間の床断熱材を適正に保持することはできても、大引断熱材を適正に保持することはできず、大引断熱材保持用の他の保持金物を用いて大引断熱材の保持を行わなければならなくて、施工に手間を要すると共に、コストも高くつくという問題がある。
【０００７】
本発明は、上記のような問題点に鑑み、左右の金属製大引間に床断熱材を適正に保持することができると共に、大引上に大引断熱材を適正に保持することができ、しかも、それらの保持状態を、手間を要さず、コスト的に有利に形成することができる床断熱構造及び断熱材保持金物を提供することを課題とする。
【課題を解決するための手段】
【０００８】
上記の課題は、左右の大引間に床断熱材が配置されると共に、前記大引の上に床板が根太レスで設置された床断熱構造において、
前記各大引が金属製大引からなり、各大引と床板との間に大引断熱材が介設され、
各大引断熱材と床断熱材とは、各大引断熱材を上面側から抑える左右の大引断熱材おさえ部と、床断熱材を下面側から支持する床断熱材支持部と、該床断熱材支持部を左右の大引断熱材おさえ部に連接する左右の立ち上がり連接部とを備えた「ひ」の字形の断熱材保持金物によって保持されていることを特徴とする床断熱構造によって解決される（第１発明）。
【０００９】
この床断熱構造では、断熱材保持金物が、各大引断熱材を上面側から抑える左右の大引断熱材おさえ部と、床断熱材を下面側から支持する床断熱材支持部と、該床断熱材支持部を左右の大引断熱材おさえ部に連接する左右の立ち上がり連接部とを備えているので、左右の金属製大引間に床断熱材を適正に保持することができると共に、大引上に大引断熱材を適正に保持することができ、しかも、金物は、大引断熱材おさえ部と床断熱材支持部と立ち上がり連接部とを備えた一種類のものからなっているので、そのような保持状態を手間を要さず、コスト的に有利に形成することができる。
【００１０】
第１発明の床断熱構造において、断熱材保持金物の左右の立ち上がり連接部が大引断熱材の内側側面部に沿わされて大引断熱材を位置決めする第１位置決め部を兼ねていると共に、該断熱材保持金物の大引断熱材おさえ部の外端部に、大引断熱材の外側側面部に沿わせる第２位置決め部が備えられているとよい（第２発明）。
【００１１】
また、断熱材保持金物は、左右の大引断熱材を上面側から抑える左右の大引断熱材おさえ部と、床断熱材を下面側から支持する床断熱材支持部と、該床断熱材支持部を左右の大引断熱材おさえ部に連接する左右の立ち上がり連接部とを備えた「ひ」の字形をしており、かつ、
左右の立ち上がり連接部が大引断熱材の内側側面部に沿わされて大引断熱材を位置決めする第１位置決め部を兼ねていると共に、左右の大引断熱材おさえ部の外端部に、大引断熱材の外側側面部に沿わせる第２位置決め部が備えられているとよい（第３発明）。
【００１２】
第２，第３発明では、大引上の大引断熱材が、長さ方向の同じ位置において、大引と、断熱材保持金物に備えられている大引断熱材おさえ部と、立ち上がり連接部と、第２位置決め部とによって四方から位置決め状態に保持され、大引断熱材の保持状態を位置ずれを生じさせないしっかりとしたものにすることができる。
【発明の効果】
【００１３】
本発明は、以上のとおりのものであるから、左右の金属製大引間に床断熱材を適正に保持することができると共に、大引上に大引断熱材を適正に保持することができ、しかも、それらの保持状態を、手間を要さず、コスト的に有利に形成することができる。
【発明を実施するための最良の形態】
【００１４】
次に、本発明の実施最良形態を図面に基づいて説明する。
【００１５】
図１及び図２に示す実施形態において、１，１は金属製大引としての左右の鋼製大引、２はグラスウール等からなる床断熱材、３，３はポリスチレンフォームなどからなる大引断熱材、４は合板などからなる床板、５は断熱材保持金物であり、左右の大引１，１間に床断熱材２が配置されると共に、前記大引１，１の上に床板４が根太レスで設置され、各大引１，１と床板４との間に大引断熱材３，３が介設されている。
【００１６】
断熱材保持金物５は、床断熱材２を左右の大引１，１間に保持すると共に、大引断熱材３，３を大引１，１の上に保持するもので、金属板の屈折成型品などからなり、大引断熱材３，３をその上面側から抑える左右の大引断熱材おさえ部６，６と、床断熱材２を下面側から支持する床断熱材支持部７と、床断熱材支持部７を左右の大引断熱材おさえ部６，６に連接する左右の立ち上がり連接部８，８とを備えた「ひ」の字形形状をしている。なお、床断熱材支持部７の縁部には屈折加工が施されて補強用のリブ７ａが備えられている。
【００１７】
そして、左右の立ち上がり連接部８，８が大引断熱材３，３の内側側面部に沿わされて大引断熱材３，３を位置決めする第１位置決め部を兼ね、大引断熱材おさえ部６，６の外端部には、大引断熱材３，３の外側側面部に沿わせる第２位置決め部９，９が屈折して備えられている。左右の立ち上がり連接部８，８が床断熱材２の左右方向の位置決めの機能を奏することはいうまでもない。
【００１８】
施工は、図３（イ）に示すように、左右の大引１，１の上に大引断熱材３，３を設置した後、図３（ロ）に示すように、断熱材保持金物５を、左右の大引１，１間にわたし、立ち上がり連接部８と第２位置決め部９とを大引断熱材３の左右両側部に沿わせると共に、大引断熱材おさえ部６を大引断熱材３の上面部にのせた状態にする。これにより、大引断熱材３は、長さ方向の同じ位置で、大引１と、大引断熱材おさえ部６と、立ち上がり連接部８と、第２位置決め部９とに囲まれて、大引１上に位置ずれを起こすことなく適正に保持される。
【００１９】
次いで、図３（ハ）に示すように、床断熱材２を断熱材保持金物５の床断熱材支持部７上に支持させれば、床断熱材支持部７は、立ち上がり連接部８，８によって左右方向の位置ずれを阻止され、左右の大引１，１間に適正に設置される。
【００２０】
最後に、図１（イ）に示すように、床板４を設置し、図示しないビスで床板４を大引１，１に固定すれば、床断熱構造が形成される。
【００２１】
このように、上記の床断熱構造及び断熱材保持金物５によれば、左右の鋼製大引１，１間に床断熱材２を適正に保持することができると共に、大引１，１上に大引断熱材３，３を適正に保持することができ、しかも、金物５は、大引断熱材おさえ部と床断熱材支持部と立ち上がり連接部とを備えた一種類のものからなっているので、そのような保持状態を手間を要さず、コスト的に有利に形成することができる。
【００２２】
以上に、本発明の実施形態を示したが、本発明はこれに限られるものではなく、発明思想を逸脱しない範囲で各種の変更が可能である。例えば、大引断熱材３や、床断熱材２等の材質に制限はなく、各種材質のものが用いられてよい。また、断熱材保持金物の具体的形態や材質についても制限はなく、各種形態、各種材質をしていてよい。
【図面の簡単な説明】
【００２３】
【図１】図（イ）は実施形態の床断熱構造を示す断面正面図、図（ロ）は断熱材保持金物を示す斜視図である。
【図２】同床断熱構造の分解断面正面図である。
【図３】図（イ）〜図（ハ）は大引断熱材と床断熱材の施工方法を順次に示す正面断面図である。
【符号の説明】
【００２４】
１…鋼製大引（金属製大引）
２…床断熱材
３…大引断熱材
４…床板
５…断熱材保持金物
６…大引断熱材おさえ部
７…床断熱材支持部
８…立ち上がり連接部（第１位置決め部）
９…第２位置決め部
【図１】
2007285068.tif 000003
【図２】
2007285068.tif 000004
【図３】
2007285068.tif 000005